(57)【特許請求の範囲】
【請求項１】
絶縁体層を挟んで積層される複数の導電体層を備えた多層基板にて構成される多層プリント配線板であって、
前記導電体層として、
高周波信号伝送用の配線パターン及び該配線パターンの周囲に間隔を空けて配置されるグラウンドパターンを有する配線層と、
前記配線パターンにて伝送される高周波信号に対する基準電位となるグラウンドパターンを有するリファレンス層と、
グラウンドパターンを有する内層と、
を備えると共に、
前記配線層にて前記配線パターンの一端に接続され、前記多層基板を貫通することにより、高周波信号伝送用の同軸コネクタの中心電極を接続可能な接続用スルーホールを備え、
前記配線層、前記リファレンス層、及び前記内層を構成するグラウンドパターンは、それぞれ、前記接続用スルーホール周囲を、間隔を空けて囲むための抜き部を備え、
前記配線層を構成する前記グラウンドパターンの抜き部は、前記接続用スルーホールを中心として、前記配線パターン側の面積が前記配線パターンとは反対側の面積よりも小さくなっており、
更に、前記配線層を構成する前記配線パターンは、前記接続用スルーホールとの接続部では、前記接続用スルーホールから離れた領域に比べて、パターン幅が広くなるよう、パターン幅が徐々に広がっている、多層プリント配線板。
【請求項２】
前記配線層を構成する前記グラウンドパターンの抜き部は、前記接続用スルーホールから前記配線パターンとは反対側に向けて所定角度で開いた形状になっている、請求項１又は請求項１に記載の多層プリント配線板。
【請求項３】
前記リファレンス層を構成する前記グラウンドパターンの抜き部は、前記接続用スルーホールを中心とする形状を有し、前記接続用スルーホールから当該抜き部の内周縁までの最大長さは、前記接続用スルーホールから前記配線層を構成する前記グラウンドパターンの抜き部の内周縁までの最大長さよりも短い、請求項２に記載の多層プリント配線板。
【請求項４】
前記内層として、前記リファレンス層の前記配線層とは反対側に設けられた外側内層を備え、
前記外側内層の前記グラウンドパターンには、前記接続用スルーホール周囲の抜き部として、前記リファレンス層の抜き部と同形状の抜き部が備えられている、請求項１〜請求項３の何れか１項に記載の多層プリント配線板。
【請求項５】
前記内層として、前記リファレンス層と前記配線層との間に設けられた中間内層を備え、
前記中間内層の前記グラウンドパターンには、前記接続用スルーホール周囲の抜き部として、前記リファレンス層の前記抜き部と同形状若しくは該抜き部を内包可能な形状を有する抜き部が備えられると共に、前記配線層の前記配線パターンと対向し、且つ、前記配線パターンよりも幅が広い配線用抜き部が備えられている、請求項１〜請求項４の何れか１項に記載の多層プリント配線板。
【請求項６】
前記配線層は、前記多層基板の一方の面である表面に設けられ、前記多層基板の他方の面である裏面には、前記接続用スルーホール周囲に前記抜き部を有するグラウンドパターンにて構成される裏層が設けられている、請求項１〜請求項５の何れか１項に記載の多層
プリント配線板。
【請求項７】
前記接続用スルーホールを中心とする円上で、前記各層の前記グラウンドパターンの前記抜き部よりも外側の複数箇所に、前記多層基板を貫通するよう設けられ、前記各層の前記グラウンドパターンに接続されることにより、前記各層の前記グラウンドパターンに前記同軸コネクタの外部導体を接続して、前記同軸コネクタを固定可能な複数の固定用スルーホール、を備えた請求項１〜請求項６の何れか１項に記載の多層プリント配線板。
【発明の詳細な説明】
【技術分野】
【０００１】
本開示は、高周波信号伝送用の配線パターンに同軸コネクタの中心電極を接続するための接続用スルーホールを備えた多層プリント配線板に関する。
【背景技術】
【０００２】
この種の多層プリント配線板においては、接続用スルーホールを介して接続される同軸コネクタと配線パターンとの接続部分で高周波信号が反射することなく、低損失で高周波信号を伝送させる必要がある。
【０００３】
そこで、従来では、配線パターンに対するリファレンス層や多層基板内の他の内層において、接続用スルーホール周囲のグラウンドパターンに設けられる抜き部の形状や大きさを調整し、上記接続部分での特性インピーダンスを規定値にすることが提案されている。
【０００４】
例えば、特許文献１では、リファレンス層において、接続用スルーホール周囲の抜き部の形状を、接続用スルーホールを中心とする円形ではなく、配線層での接続用スルーホールからの配線パターンの延出方向に抜き部の面積を小さくすることが提案されている。
【０００５】
また、特許文献２では、リファレンス層において、接続用スルーホール周囲の抜き部を円形とし、その中心位置を、接続用スルーホールの位置から、配線層での接続用スルーホールからの配線パターンの延出方向とは逆方向に偏心させることが提案されている。
【先行技術文献】
【特許文献】
【０００６】
【特許文献１】特開２００９−５９８７３号公報
【特許文献２】特許第５３２６４５５号公報
【発明の概要】
【発明が解決しようとする課題】
【０００７】
上記提案の多層プリント配線板は、配線層に高周波信号伝送用の配線パターンだけが設けられ、その配線パターンを上下のリファレンス層にて挟むように構成されている。このため、上記提案の技術は、配線パターンが設けられる配線層において、配線パターン周囲にグラウンドパターンが設けられている場合には採用することができない。
【０００８】
つまり、配線パターンの特性インピーダンスは、配線パターンを挟む上下のリファレンス層を使って調整することはできる。しかし、配線パターンが多層基板の表面に設けられるような場合には、配線層の上下にリファレンス層を配置することができないので、配線層に、配線パターンを囲むようにグラウンドパターンを設けることが考えられる。また、配線層の上下にリファレンス層を設けた場合であっても、配線層に、配線パターンを囲むようにグラウンドパターンを設けることも考えられる。
【０００９】
このように、配線層にグラウンドパターンを設ける場合、そのグラウンドパターンには、配線パターンと接続用スルーホールの周囲に抜き部を設けることになるが、従来、この抜き部の形状については検討されておらず、接続用スルーホールを中心とする円形にするのが一般的である。
【００１０】
本開示の一局面は、配線パターンに同軸コネクタの中心電極を接続するためのスルーホールを備えた多層プリント配線板において、配線パターンと同じ配線層にグラウンドパターンが設けられている場合に、スルーホールによる接続部分での特性インピーダンスを適正に設定できるようにすることを目的とする。
【課題を解決するための手段】
【００１１】
本開示の一局面の多層プリント配線板は、絶縁体層を挟んで積層される複数の導電体層を備えた多層基板にて構成されており、導電体層として、配線層、リファレンス層、及び、内層を備える。
【００１２】
配線層には、高周波信号伝送用の配線パターン、及び、配線パターンの周囲に間隔を空けて配置されるグラウンドパターンが設けられている。また、リファレンス層には、配線パターンにて伝送される高周波信号に対する基準電位となるグラウンドパターンが備えられ、内層にも、グラウンドパターンが備えられている。
【００１３】
また、多層プリント配線板を構成する多層基板には、配線層にて配線パターンの一端に接続され、多層基板を貫通することにより、高周波信号伝送用の同軸コネクタの中心電極を接続可能な接続用スルーホールが備えられている。
【００１４】
そして、配線層、リファレンス層、及び内層を構成するグラウンドパターンには、それぞれ、接続用スルーホールと接続されることがないように、接続用スルーホール周囲を、間隔を空けて囲むための抜き部が備えられている。
【００１５】
また、配線層を構成するグラウンドパターンの抜き部は、接続用スルーホールを中心として、配線パターン側の面積が配線パターンとは反対側の面積よりも小さくなっている。このため、配線層において、接続用スルーホールの配線パターン側は、配線パターンとは反対側よりも、グラウンドパターンとの間隔が狭くなり、電気的結合量（換言すれば容量）が大きくなる。
【００１６】
従って、この間隔を調整することで接続用スルーホールによる接続部分での特性インピーダンスを、配線パターンや同軸コネクタのインピーダンスと整合させて、その接続部分で高周波信号が反射するのを抑制できる。
【００１７】
ここで、接続用スルーホールによる接続部分での特性インピーダンスを配線パターンのインピーダンスに整合させるには、配線層を構成する配線パターンにおいて、接続用スルーホールと接続される部分（以下、接続部という）のパターン幅が、接続用スルーホールから離れた領域のパターン幅よりも広くなっていてもよい。
【００１８】
このようにすれば、配線パターンの接続用スルーホールとの接続部のパターン幅を調整することによっても、接続用スルーホールによる接続部分での特性インピーダンスを配線パターンや同軸コネクタのインピーダンスと整合させることができるようになる。この結果、多層プリント配線板を設計し易くなる。
【００１９】
また、配線層を構成するグラウンドパターンの抜き部は、接続用スルーホールから配線パターンとは反対側に向けて所定角度で開いた形状（例えば、扇形状、三角形状等）になっていてもよい。
【００２０】
このようにすれば、接続用スルーホールの配線パターンとは反対側での抜き部の開き角度を調整することによって、接続用スルーホールによる接続部分での特性インピーダンスを配線パターンや同軸コネクタのインピーダンスと整合させることができるようになる。従って、このようにしても多層プリント配線板を設計し易くなる。
【００２１】
ところで、本開示の多層プリント配線板においては、配線層に設けられたグラウンドパターンの接続用スルーホール周りの抜き部の形状や配線パターンの幅を上記のように設定することで、接続用スルーホールによる接続部分での特性インピーダンスを所望インピーダンスに設定できる。
【００２２】
このため、リファレンス層を構成するグラウンドパターンの抜き部は、上述した特許文献に記載のように接続用スルーホールを中心とする形状から変形させたり、接続用スルーホールから偏心した位置に配置したりする必要はない。
【００２３】
つまり、リファレンス層を構成するグラウンドパターンの抜き部は、接続用スルーホールが中心となる形状（例えば、円形若しくは多角形）にすることができ、高周波信号が接続用スルーホールを通過するときの特性インピーダンスの変化を抑制できる。
【００２４】
但し、このようにリファレンス層を構成するグラウンドパターンの抜き部の形状を円形若しくは多角形にした場合、接続用スルーホールから当該抜き部の内周縁までの最大長さは、配線層を構成するグラウンドパターンの抜き部の内周縁までの最大長さよりも短くするとよい。
【００２５】
例えば、配線層を構成するグラウンドパターンの抜き部が上述した扇形である場合、後述実施形態に記載のように、リファレンス層を構成するグラウンドパターンの抜き部は、その扇形の円弧の内側が外周となるように半径が設定された円形にするとよい。
【００２６】
一方、多層プリント配線板は、内層として、リファレンス層の配線層とは反対側に設けられた外側内層を備えていてもよく、リファレンス層と配線層との間に設けられた中間内層を備えていてもよい。
【００２７】
そして、外側内層を構成するグラウンドパターンには、接続用スルーホール周囲の抜き部として、リファレンス層の抜き部と同形状の抜き部が備えられているとよい。
また、中間内層を構成するグラウンドパターンには、接続用スルーホール周囲の抜き部として、リファレンス層の抜き部と同形状か、若しくは、その抜き部よりも大きく、その抜き部を内包可能な形状を有する抜き部が備えられているとよい。また、この中間内層を構成するグラウンドパターンには、配線層の配線パターンと対向し、且つ、配線パターンよりも幅が広い配線用抜き部が備えられているとよい。
【００２８】
このようにすれば、中間内層のグラウンドパターンが、配線パターンや配線パターンの接続用スルーホールとの接続部で、特性インピーダンスに影響を与えるのを抑制することができる。
【００２９】
また、本開示の多層プリント配線板において、配線層は、多層基板の一方の面である表面に設けられ、多層基板の他方の面である裏面には、接続用スルーホール周囲に抜き部を有するグラウンドパターンにて構成される裏層が設けられていてもよい。
【００３０】
また更に、本開示の多層プリント配線板には、接続用スルーホールを中心とする円上で、各層のグラウンドパターンの抜き部よりも外側の複数箇所に、多層基板を貫通して各層のグラウンドパターンに接続される、複数の固定用スルーホールが設けられていてもよい。
【００３１】
このようにすれば、同軸コネクタの外部導体から突出された固定用の脚部を、複数の固定用スルーホールに通し、半田付け等で接続することにより、同軸コネクタを多層プリント配線板にしっかりと固定できるようになる。
【図面の簡単な説明】
【００３２】
【図１】第１実施形態の多層プリント配線板の同軸コネクタの接続部分の構成を表す断面図である。
【図２】図１に示す配線層、リファレンス層、外側内層及び裏層の接続用スルーホール周りのグラウンドパターンを表す説明図である。
【図３】図１に示す多層プリント配線板の同軸コネクタの接続部分での特性インピーダンス及びリターンロスの測定結果を表す説明図である。
【図４】図１に示す各層での抜き部の形状を全て同一の円形にした場合の特性インピーダンス及びリターンロスの測定結果を表す説明図である。
【図５】第１実施形態の多層プリント配線板の他の使用例を表す説明図である。
【図６】第１実施形態の多層プリント配線板の変形例を表す説明図である。
【図７】第２実施形態の多層プリント配線板の同軸コネクタの接続部分の構成を表す断面図である。
【図８】図７に示す中間内層の接続用スルーホール周りのグラウンドパターンを表す説明図である。
【図９】第３実施形態の多層プリント配線板の同軸コネクタの接続部分の構成を表す断面図である。
【図１０】第３実施形態の多層プリント配線板の変形例を表す説明図である。
【発明を実施するための形態】
【００３３】
以下に本発明の実施形態を図面と共に説明する。
［第１実施形態］
図１に示すように、本実施形態の多層プリント配線板１は、絶縁体層８を挟んで積層される４種類の導電体層を備えた多層基板にて構成されており、基板表面の表層として、配線パターン１２及びグラウンドパターン１４を備える配線層１０を備える。
【００３４】
また、多層プリント配線板１は、配線層１０直下の内層として、配線パターン１２にて伝送される高周波信号に対する基準電位となるグラウンドパターン２２を有するリファレンス層２０を備える。
【００３５】
また、多層プリント配線板１は、リファレンス層２０よりも更に下方に、グラウンドパターン３２を有する外側内層３０を備え、配線層１０とは反対側の裏面には、グラウンドパターン４２を有する裏層４０を備える。
【００３６】
配線層１０を構成する配線パターン１２は、高周波信号を低損失で伝送できるように、周囲のグラウンドパターン１４及びリファレンス層２０のグラウンドパターン２２との容量結合により所定の特性インピーダンス（例えば、７５Ω）となるように設定されている。
【００３７】
また、多層プリント配線板１には、同軸コネクタ６０の中心電極６２を挿通して接続するための接続用スルーホール５２と、同軸コネクタ６０の外部導体から突出された複数の固定用脚部６４を挿通して接続するための複数の固定用スルーホール５４が、設けられている。
【００３８】
これら各スルーホール５２、５４は、多層プリント配線板１を構成する多層基板を貫通するように設けられており、図２に示すように、固定用スルーホール５４は、接続用スルーホール５２を中心とする円上に９０度間隔で合計４個設けられている。
【００３９】
従って、４個の固定用スルーホール５４に同軸コネクタ６０の固定用脚部６４をそれぞれ挿通して半田付け等で接続することで、同軸コネクタ６０を多層プリント配線板１にしっかりと固定できるようになる。
【００４０】
また、図２（Ａ）に示すように、接続用スルーホール５２は、配線層１０にて配線パターン１２の一端に接続されており、本実施形態では、多層基板の裏面側から挿入された同軸コネクタ６０の中心電極を配線パターン１２に接続するのに利用される。
【００４１】
また、配線層１０において、配線パターン１２は、接続用スルーホール５２との接続部１２ａでは接続用スルーホール５２から離れた伝送経路に比べて伝送経路の幅が広くなるように、パターン幅が徐々に広がっている。
【００４２】
この配線パターン１２の周囲には、配線パターン１２を挟むように、所定の間隔を空けてグラウンドパターン１４が設けられている。そして、このグラウンドパターン１４には、接続用スルーホール５２の配線パターン１２とは反対側で、扇状にくり抜かれた抜き部１６が設けられている。
【００４３】
この抜き部１６は、接続用スルーホール５２を中心とする所定半径Ａの円弧の両端を、配線パターン１２に沿って形成された配線用抜き部１８と直線で接続することにより扇形に形成されている。そして、その抜き部１６の大きさは、抜き部１６の円弧を通る半径Ａの円内で、配線用抜き部１８よりも面積が大きくなっている。
【００４４】
これは、接続用スルーホール５２周りで配線パターン１２の幅を他の部分と同一にして、接続用スルーホール５２の周りに半径Ａの円形の抜き部を設けると、配線パターン１２の容量低下によって特性インピーダンスが高くなりすぎるためである。
【００４５】
そこで、本実施形態では、接続用スルーホール５２を中心とする半径Ａの円内では、配線パターン１２の幅を広げ、そのパターン幅を広げた接続部１２ａの周囲にも他の部分と同様にグラウンドパターン１４を配置し、更に、接続用スルーホール５２の配線パターン１２（換言すれば接続部１２ａ）とは反対側では、グラウンドパターン１４に扇形の抜き部１６を設けることで、接続用スルーホール５２の接続部分での特性インピーダンスを所定インピーダンス（例えば、７５Ω）に設定している。
【００４６】
一方、図２（Ｂ）に示すように、リファレンス層２０及び外側内層３０のグラウンドパターン２２、３２には、接続用スルーホール５２の周りに、接続用スルーホール５２を中心とする円形の抜き部２６、３６が設けられている。
【００４７】
なお、この抜き部２６、３６の半径は、配線層１０のグラウンドパターン１４の抜き部１６の半径よりも小さくなっている。
また、図２（Ｃ）に示すように、裏層４０のグラウンドパターン４２にも、接続用スルーホール５２の周りに、抜き部２６、３６と同形状の抜き部４６が設けられている。
【００４８】
そして、多層プリント配線板１には、各層１０、２０、３０、４０のグラウンドパターン１４、２２、３２、４２は、各層１０、２０、３０、４０の抜き部１６、２６、３６、４６及び配線層１０の配線用抜き部１８の周りで、ビア５６を介して接続されている。
【００４９】
上記のように構成された本実施形態の多層プリント配線板１によれば、接続用スルーホール５２による同軸コネクタ６０と配線パターン１２との接続部分の特性インピーダンスＺ０を所望インピーダンスに近づけ、リターンロスを低減できる。
【００５０】
この効果を確認するために、接続用スルーホール５２及び固定用スルーホール５４を介して多層プリント配線板１に同軸コネクタ６０を固定し、接続用スルーホール５２による同軸コネクタ６０と配線パターン１２との接続部分の特性インピーダンスＺ０及びリターンロスＳ１１を測定した。この測定結果について、図３及び図４を用いて説明する。
【００５１】
なお、図３は、本実施形態の多層プリント配線板１による測定結果と、配線層１０のグラウンドパターン１４の抜き部１６の形状を半径Ａの円形にした多層プリント配線板（比較例）による測定結果を比較して表している。
【００５２】
また、図４は、配線層１０のグラウンドパターン１４の抜き部１６の形状を円形にし、その大きさ（換言すれば半径）を、半径Ａよりも小さい、大、中、小にした場合の測定結果を表している。
【００５３】
また、図３、図４において、上段は、周知のＴＤＲ（Time Domain Reflectometry）法による特性インピーダンスＺ０の測定結果を表し、下段は、リターンロスＳ１１の測定結果を表している。
【００５４】
図３に示すように、配線層１０のグラウンドパターン１４の抜き部１６の形状を半径Ａの円形にした場合には、同軸コネクタ６０と配線パターン１２との接続部分の特性インピーダンスＺ０が急上昇しているのに対し、本実施形態では、所望の７５Ω付近で変化している。
【００５５】
これは、抜き部１６の形状を半径Ａの円形にすると、同軸コネクタ６０と配線パターン１２との接続部分（特に配線パターン側）でのグラウンドパターンとの間の容量が低くなり過ぎるためである。そして、この測定結果から、抜き部１６を本実施形態のように形成すれば、その容量を大きくして、特性インピーダンスＺ０を所望インピーダンスに設定できることがわかる。
【００５６】
また、図３に示すリターンロスの測定結果から、本実施形態によれば、数ＧＨｚ帯の高周波信号でも上記接続部分での反射を抑えることができ、抜き部１６の形状を円形にした場合に比べて、リターンロスＳ１１を低減できることもわかる。
【００５７】
次に、図４に示すように、配線層１０のグラウンドパターン１４の抜き部１６の形状を円形にし、その大きさを変化させても、同軸コネクタ６０と配線パターン１２との接続部分の特性インピーダンスＺ０を所望インピーダンスに安定させることができず、リターンロスＳ１１も本実施形態のように改善できないことがわかった。
【００５８】
ここで、本実施形態では、同軸コネクタ６０は、多層プリント配線板１の裏面側に固定されるものとして説明したが、図５に示すように、本実施形態の多層プリント配線板１は、同軸コネクタ６０を配線層１０が設けられる表面側に固定して使用することもできる。
【００５９】
また、例えば、図６に示すように、多層プリント配線板１の裏層４０側に配線パターン４４が設けられており、基板表面の配線層１０の配線パターン１２が、ビア５８を介して、配線パターン４４に接続されている場合であっても、配線パターン１２の接続用スルーホール５２との接続部１２ａ及びその周囲の抜き部１６を上記のように構成することで、上記と同様の効果を得ることができる。
［第２実施形態］
図７に示すように、本実施形態の多層プリント配線板２は、第１実施形態の多層プリント配線板１に比べ、絶縁体層８を挟んで積層される導電体層の数が多い。すなわち、本実施形態の多層プリント配線板２は、表層の配線層１０と内層のリファレンス層２０との間にグラウンドパターン７２を有する中間内層７０が設けられ、リファレンス層２０と裏層４０との間に、２つの外側内層３０が間隔を空けて設けられている。
【００６０】
そして、本第２実施形態と第１実施形態との違いは、この点だけであり、他の構成は第１実施形態と同じであるため、以下の説明では、中間内層７０の構成について説明し、他の構成については説明を省略する。
【００６１】
図８に示すように、本実施形態の中間内層７０のグラウンドパターン７２には、接続用スルーホール５２の周囲に、配線層１０のグラウンドパターン１４の抜き部１６と略同じ半径Ａで円形の抜き部７６が設けられている。
【００６２】
また、この抜き部７６からは、配線層１０の配線パターン１２に沿って配線用抜き部７８が延びている。この配線用抜き部７８は、配線層１０の配線パターン１２と対向し、その配線パターン１２よりも幅が広くなっている。
【００６３】
これは、中間内層７０のグラウンドパターン７２が、配線パターン１２及び配線パターン１２の接続用スルーホール５２との接続部１２ａでの特性インピーダンスに影響を与えるのを抑制するためである。
【００６４】
このように構成された本実施形態の多層プリント配線板２においても、配線層１０のグラウンドパターン１４の抜き部１６や配線パターン１２が第１実施形態と同様に構成されているので、同軸コネクタ６と配線パターン１２との接続部分の特性インピーダンスＺ０を所望インピーダンスに設定して、この接続部分での高周波信号の反射を抑制することができる。
【００６５】
なお、中間内層のグラウンドパターン７２の抜き部７６は、リファレンス層２０のグラウンドパターン２２の抜き部２６と同形状か、若しくは、この抜き部２６よりも大きく、抜き部２６を内包可能な形状であればよい。
［第３実施形態］
次に、第１実施形態及び第２実施形態では、配線層１０は多層プリント配線板２を構成する多層基板の片面（表面）に設けられるものとして説明したが、図９に示す多層プリント配線板３のように、多層基板内部に、絶縁体層８を介して、上下のリファレンス層２０にて挟まれるように設けられていてもよい。
【００６６】
そして、この場合、配線層１０の配線パターン１２は、多層基板内部で接続用スルーホール５２と接続されていればよい。
なお、図９に示す多層プリント配線板３においては、基板表面に、グラウンドパターン８２にて構成される表層８０が設けられている。そして、この表層８０のグラウンドパターン８２には、裏層４０のグラウンドパターン４２の抜き部４６と同じ抜き部８６が設けられている。
【００６７】
またこのように、多層プリント配線板３を構成する多層基板の内部に配線層１０を設けた場合、図１０に例示するように、この配線層１０の配線パターン１２が、ビア５９を介して、表層８０に設けられた配線パターン８４に接続されていてもよい。
【００６８】
以上、本開示の実施形態について説明したが、本開示の多層プリント配線板は、上記実施形態に限定されるものではなく、種々の態様を採ることができる。
例えば、上記各実施形態では、多層プリント配線板３を構成する多層基板内には、グラウンドパターンを有するリファレンス層２０や他の内層（つまり、外側内層３０や中間内層７０）が設けられるものとして説明したが、内層として、電源電圧が印加されるベタパターンを有する電源層が設けられていてもよい。
【００６９】
この場合、電源層を構成するベタパターンには、接続用スルーホール５２や固定用スルーホール５４、あるいはビア５６、５８、５９等の他のスルーホールに接触することのないよう、抜き部を設ける必要があるが、電源層の抜き部は、高周波信号の伝送特性に影響を与えることがないように形成すればよく、公知の手法を利用すればよいので、ここでは説明を省略する。
【００７０】
また、上記実施形態では、配線層以外の層のグラウンドパターンには、接続用スルーホールを中心とする円形の抜き部を設けるものとして説明したが、この抜き部は、接続用スルーホールを中心とする正方形若しくは長方形等の多角形であってもよいし、接続用スルーホールから偏心した形状であってもよい。
【００７１】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００７２】
また、上述した多層プリント配線板の他、当該多層プリント配線板を備えたＳＳＤやＨＤＤ等の電子機器や多層プリント配線板の設計方法など、種々の形態で本発明を実現することもできる。
【符号の説明】
【００７３】
１，２，３…多層プリント配線板、８…絶縁体層、１０…配線層、１２，４４，８４…配線パターン、１２ａ…接続部、１４，２２，３２，４２，７２，８２…グラウンドパターン、１６，２６，３６，４６，７６，８６…抜き部、１８，７８…配線用抜き部、２０…リファレンス層、３０…外側内層、４０…裏層、５２…接続用スルーホール、５４…固定用スルーホール、５６，５８，５９…ビア、６０…同軸コネクタ、６２…中心電極、６４…固定用脚部、７０…中間内層、８０…表層。
【図１】
0006525917.tif 000002
【図２】
0006525917.tif 000003
【図３】
0006525917.tif 000004
【図４】
0006525917.tif 000005
【図５】
0006525917.tif 000006
【図６】
0006525917.tif 000007
【図７】
0006525917.tif 000008
【図８】
0006525917.tif 000009
【図９】
0006525917.tif 000010
【図１０】
0006525917.tif 000011